(57)【要約】デバイスの機能をアクティブにする方法。本方法は、デバイスのタッチディスプレイへの少なくとも１つの入力を検出することと、入力の移動の少なくとも１つの大きさを決定することと、入力の移動に基づいて、デバイスの機能をアクティブ化または非アクティブ化することと、を含む。【選択図】図5B
2009541835.tif 000002
【特許請求の範囲】
【請求項１】
デバイスのタッチディスプレイへの少なくとも１つの入力を検出することと、
前記入力の移動の少なくとも１つの大きさを決定することと、
前記入力の前記移動に基づいて、前記デバイスの機能をアクティブ化または非アクティブ化することと、
を、含む方法。
【請求項２】
前記入力の前記移動に基づいて、前記デバイスのアプリケーションをアクティブにすることをさらに含む、請求項１に記載の方法。
【請求項３】
前記デバイスへの前記入力の前記移動の方向の少なくとも１つの大きさを決定することをさらに含む、請求項１に記載の方法。
【請求項４】
前記タッチスクリーンディスプレイ上のテキスト入力を検出することと、
前記タッチスクリーンに対する次のテキスト入力のそれぞれの方向を決定することと、
をさらに含む、請求項１に記載の方法。
【請求項５】
前記入力の前記移動の方向の前記決定に基づいて、前記デバイスのテキストフィールドをアクティブにすることをさらに含む、請求項１に記載の方法。
【請求項６】
前記タッチスクリーンに対する前記移動は、左から右、右から左、下から上、または上から下である、請求項１に記載の方法。
【請求項７】
前記移動の方向は、前記デバイスの前記タッチスクリーンに対するものである、請求項１に記載の方法。
【請求項８】
前記入力の前記移動は、前記デバイスの前記タッチスクリーンに対して水平的、縦方向的または対角方向的である、請求項１に記載の方法。
【請求項９】
前記デバイスはＰＤＡデバイスである、請求項１に記載の方法。
【請求項１０】
前記デバイスはモバイル通信デバイスである、請求項１に記載の方法。
【請求項１１】
デバイスのタッチ対応式ディスプレイ上におけるテキストの入力を検出することと、
前記入力されたテキストの入力シーケンスの方向を決定することと、
前記入力されたテキストの前記入力シーケンスの前記方向に関連付けられる前記デバイスのアプリケーションを開くことと、
を、含む方法。
【請求項１２】
前記アプリケーションと、前記テキストの前記入力シーケンスの前記方向との間の関連付けは、ユーザ定義されたものである、請求項１１記載の方法。
【請求項１３】
前記アプリケーションのコンテンツは、前記テキストの前記入力シーケンスの前記方向の前記方向において可読であるように前記アプリケーションを表示することをさらに含む、請求項１１に記載の方法。
【請求項１４】
前記表示されたアプリケーションは、前記入力されたテキストの前記方向に対応して、前記タッチスクリーンデバイスの前記ディスプレイ上で回転する、請求項１３に記載の方法。
【請求項１５】
前記入力されたテキストの前記入力シーケンスの前記方向に基づいて、前記ソフトウェアアプリケーションの既定範囲に前記入力されたテキストを方向付けすることをさらに含む、請求項１１に記載の方法。
【請求項１６】
前記テキストの前記入力シーケンスの前記方向に基づいて、前記ディスプレイ上に少なくとも１つのアプリケーションショートカットを表示することをさらに含み、前記少なくとも１つのアプリケーションショートカットは、対応するテキスト方向に関連付けられる、請求項１１に記載の方法。
【請求項１７】
タッチスクリーンに接続されるディスプレイプロセッサと、
ポインティングデバイスによる前記タッチスクリーン上のユーザ作成テキストの形式で第１の入力を受信する、前記ディスプレイプロセッサに接続される入力検出ユニットと、
入力される前記テキストのシーケンスの方向を検出する、前記ディスプレイプロセッサに接続される入力認識ユニットと、
前記検出された方向に関連付けられる、装置の少なくとも１つの機能またはアプリケーションをアクティブにする処理ユニットと、
を、備える装置。
【請求項１８】
前記ディスプレイプロセッサは、前記検出された方向に対応して、前記デバイス上に開いているアプリケーションを回転させるように構成される、請求項１７に記載の装置。
【請求項１９】
前記ディスプレイプロセッサは、前記タッチスクリーン上に前記アプリケーションによって提示される視覚情報を自動的に回転するように構成され、前記検出された方向の方向で前記視覚情報が読まれるようにする、請求項１８に記載の装置。
【請求項２０】
前記ディスプレイプロセッサは、前記検出された方向に基づいて、前記ディスプレイの既定範囲に前記入力されたテキストを自動的に表示するように構成される、請求項１７に記載の装置。
【請求項２１】
コンピュータ可用媒体を含むコンピュータプログラム製品であって、前記コンピュータ可用媒体は、コンピュータに、デバイス機能をアクティブにさせるためのコンピュータ可読コード手段を内部に含み、該コンピュータ可読コード手段は、
コンピュータに、前記デバイスのタッチディスプレイの少なくとも１つの入力を検出させるためのコンピュータ可読コード手段と、
コンピュータに、前記入力の移動の少なくとも１つの大きさを決定させるためのコンピュータ可読コード手段と、
コンピュータに、前記入力の前記移動に基づいて、前記デバイスの機能をアクティブ化または非アクティブ化するためのコンピュータ可読コード手段と、
を含む、コンピュータプログラム製品。
【発明の詳細な説明】
【技術分野】
【０００１】
ここで開示される実施例は、タッチスクリーンデバイスに関し、より具体的には、タッチスクリーンデバイスの特徴をアクティブにすることに関する。
【背景技術】
【０００２】
ユーザによるタッチスクリーンデバイスの主な使用が、ポインティングデバイスを使用してテキストを入力することである、様々な状況が存在する。このような主な使用の例として、電子メール、ショートメッセージ（ＳＭＳ）、マルチメディアメッセージ（ＭＭＳ）、インスタントメッセージ（ＩＭ）、ノートパッド記入、ワードプロセッサ記入、カレンダ記入、Ｔｏ−Ｄｏ記入、及びこれらと同様の機能を挙げることができる。
【０００３】
従来のタッチスクリーンデバイスでは、これらの特徴または機能の各々は、キーパッド上の種々のキーストロークによって、あるいはタッチスクリーンデバイスのユーザインターフェース上で行なわれる一連の選択によって、アクセスされる。このような従来のデバイスでは、使用またはソフトウェア機能の全てが、ポインティングデバイスを使用して容易にアクセスされるわけではない。用途または機能によっては、時間がかかり複雑なポインティングデバイス操作によって、あるいはキーパッドを介してのみアクセス可能なものもある。その他の従来のデバイスでは、ポインティングデバイスの使用時に、全くアクセス不可能な使用またはソフトウェア機能もある。
【０００４】
デバイスのタッチスクリーンへのユーザ入力の種類に応じて、デバイスの特徴を自動的にアクティブにできることが望ましいであろう。
【摘要】
【０００５】
ここに開示される実施例は、デバイスの機能をアクティブにすることに向けられている。ある側面による方法は、デバイスのタッチディスプレイへの少なくとも１つの入力を検出することと、入力の移動の少なくとも１つの大きさを決定することと、入力の移動に基づいて、デバイスの機能をアクティブ化または非アクティブ化することと、を含む方法がある。
【０００６】
別の側面による方法は、デバイスのタッチ対応式ディスプレイ上のテキストの入力を検出することと、入力されたテキストの入力シーケンスの方向を決定することと、入力されたテキスト入力シーケンスの方向に関連付けられるデバイスのアプリケーションを開くことと、を含む。
【０００７】
ある側面による装置は、タッチスクリーンに接続されるディスプレイプロセッサと、ポインティングデバイスによるタッチスクリーン上のユーザ作成テキストの形式で第１の入力を受信する、ディスプレイプロセッサに接続される入力検出ユニットと、入力されるテキストのシーケンスの方向を検出する、ディスプレイプロセッサに接続される入力認識ユニットと、検出された方向に関連付けられる装置の少なくとも１つの機能またはアプリケーションをアクティブにする処理ユニットと、を含む。
【０００８】
別の側面による、コンピュータプログラム製品は、コンピュータ可用媒体を含むコンピュータプログラム製品であって、前記コンピュータ可用媒体は、コンピュータに、デバイス機能をアクティブにさせるためのコンピュータ可読コード手段を内部に含み、該コンピュータ可読コード手段は、コンピュータに、前記デバイスのタッチディスプレイの少なくとも１つの入力を検出させるためのコンピュータ可読コード手段と、コンピュータに、前記入力の移動の少なくとも１つの大きさを決定させるためのコンピュータ可読コード手段と、コンピュータに、前記入力の前記移動に基づいて、前記デバイスの機能をアクティブ化または非アクティブ化するためのコンピュータ可読コード手段とを含む。
【図面の簡単な説明】
【０００９】
本発明に関する前述の側面およびその他の特徴について、添付の図面を用いて以下に説明する。
【００１０】
【図１】実施例の特徴を内蔵するデバイスを示す。
【００１１】
【図２】実施例の特徴を内蔵する別のデバイスを示す。
【００１２】
【図３】実施例に従うテキスト入力方向を示す。
【図４】実施例に従うテキスト入力方向を示す。
【００１３】
【図５Ａ】実施例の特徴を内蔵するデバイスを示す。
【００１４】
【図５Ｂ】実施例の特徴を内蔵するデバイスを示す。
【００１５】
【図６】実施例に従う方法のフロー図である。
【００１６】
【図７】本発明の実施に使用されうる本発明の特徴を内蔵する典型的な装置の一実施例に関するブロック図である。
【００１７】
【図８】実施例に従う別のデバイスを示す。
【実施例の詳細な説明】
【００１８】
図１は、ある実施例の特徴を内蔵するシステムを示す。図示され、かつ以下に説明される例を参照して本実施形態について説明するが、実施例に関する多数の異なる形式で本発明が具現化されうることを理解されたい。さらに、任意の適切なサイズ、形状、または種類の要素あるいは材料を使用してもよい。
【００１９】
図１は、タッチスクリーンディスプレイ１１０およびポインティングデバイス２０を含むデバイス１０を示す。例えば、スタイラス、ペン、または単にユーザの指などのポインティングデバイス２０は、タッチスクリーンディスプレイ１１０と共に使用可能である。様々な実施例において、任意の適切なポインティングデバイスを使用してもよい。ディスプレイ１１０およびポインティングデバイス２０は、デバイス１０のユーザインターフェースを形成し、グラフィカルユーザインターフェースとして構成されてもよい。また、デバイス１０は、本発明に従ってディスプレイプロセッサ１３０を動作させるジェスチャまたはストロークベースのアルゴリズムを格納する、メモリ１４０に接続されるディスプレイプロセッサ１３０も含んでもよい。また、メモリ１４０は、デバイス１０上で実行する１つ以上のソフトウェアアプリケーションも格納してもよい。ソフトウェアアプリケーションを起動または開始するための処理ユニット１９０を、ディスプレイプロセッサ１３０およびメモリ１４０に接続してもよい。ディスプレイ１１０とプロセッサ１３０との間には、第１の通信あるいはデータリンクまたは接続が存在し、ディスプレイ１１０の表面に対するポインティングデバイス２０の先端または端部の位置を記述または表す座標情報を、プロセッサ１３０が受信するようにする。典型的には、ディスプレイ１１０は、画素化されており、液晶（ｌｉｑｕｉｄ  ｃｒｙｓｔａｌ；  ＬＣ）またはその他のいくつかの種類のディスプレイ画素を含んでもよい。ディスプレイは、ディスプレイ上の異なる場所で発生する同時的な入力（例えば、タッチ）を認識するように構成されてもよい。様々な実施例において、任意のディスプレイを利用してもよい。他の実施例において、デバイスは、図８に示されるように、タッチセンサ式キーパッドを含んでもよい。タッチセンサ式キーパッドのキーは、従来の方式で使用してもよいが、同時に、タッチスクリーンディスプレイのキーに実質的に類似する方式で機能するように構成されてもよい。例えば、ユーザは、任意の適切なポインティングデバイス（例えば、ユーザの指またはスタイラス）を使用して、キーパッド８１０の中央に文字「Ａ」等のマークを付けて、文字「Ａ」が、ディスプレイ８２０の中央に表示するようにしてもよい。後述の実施例は、例えば、タッチスクリーンディスプレイおよびタッチセンサ式キーパッド等のディスプレイに同等に適用してもよい。
【００２０】
一般的に、ディスプレイプロセッサ１３０は、例えば、第２の通信あるいはデータリンクまたは接続上で、ディスプレイ１１０に直接的または間接的にディスプレイデータを提供して、当技術分野でよく知られているように、所望の画素をアクティブ化させてもよい。例えば、ディスプレイ１１０の表面上のｘ−ｙ位置等の所定の座標位置は、画素解像度およびタッチスクリーン自体の解像度に応じて、１つ以上のディスプレイ画素に直接的または間接的に対応してもよい。従って、タッチスクリーンディスプレイ１１０上の単一の点（単一のｘ−ｙ位置）は、１つの画素または複数の近傍画素に対応してもよい。単一の画素と違って、テキストの形成またはデバイス機能のアクティブ化に使用しうるパス、ストローク、線、またはジェスチャ（本明細書においてこれらの用語は互いに代替可能に使用される）は、ｘ−ｙ始点およびｘ−ｙ終点を有し、ならびに、始点および終点間のいくつかのｘ−ｙ位置を含んでもよい。本明細書で使用する際、用語の「テキスト」は、単一の英数字ならびに句読点を含む一連の文字（つまり、単語、文、およびその同等物）を言い表す。様々な実施例において、線、またはグラフィックマーク等の任意の適切なジェスチャを使用してもよい。
【００２１】
ポインティングデバイス２０の端部をディスプレイ１１０の表面に近接または接触させて、テキストの始点をマークしてもよい。その後、ポインティングデバイス２０の端部をディスプレイ１１０の表面から離して移動または持ち上げて、テキストの終点をマークしてもよい。一実施例において、ジェスチャを形成するための入力信号を形成または認識させるために、ポインティングデバイス２０をディスプレイ１１０の表面に接触させる必要はない。
【００２２】
一実施例によると、デバイス１０は、例えば、図１に示されるＰＤＡ１００であってもよい。ＰＤＡ１００は、キーパッド１２０と、タッチスクリーンディスプレイ１１０と、タッチスクリーンディスプレイ１１０上で使用するためのポインティングデバイス２０とを含んでもよい。別の実施例によると、デバイス１０は、図２に示されるモバイルセルラデバイス２００であってもよい。デバイス２００も、タッチスクリーンディスプレイ１１０と、キーパッド１２０と、ポインティングデバイス２０とを含んでもよい。さらにその他の別の実施例において、デバイス１０は、パーソナルコミュニケータ、タブレットコンピュータ、ノート型またはデスクトップ型コンピュータ、あるいはタッチスクリーンディスプレイ１１０と、ディスプレイプロセッサ１３０およびメモリ１４０等の支援電子機器とを含むことが可能なその他の任意の適切なデバイスであってもよい。その他の別の実施例において、ディスプレイおよび／またはデバイス１０に関連付けられるその他のハードウェアおよび制御は、デバイス１０の本体内に位置しない周辺機器であってもよい。さらなる別の実施例において、デバイス１０は、多数のディスプレイを含んでもよく、この場合、例えば、一方のディスプレイ上の入力が、他方のディスプレイの作用（例えば、提示されるもの、対象物の方向等）に影響を及ぼしうる。本明細書における実施例は、例示目的のためだけにＰＤＡ１００を参照して説明されており、これらの実施例が、タッチスクリーンディスプレイを内蔵する任意の適切なデバイスに同等に適用されうることを理解されたい。
【００２３】
典型的な方式または従来の方式で、例えば、ＰＤＡ１００等のデバイスにテキストを入力する際、ＰＤＡ１００は、その下部分３５０がユーザに最も近い状態で保持されて（つまり、タッチスクリーンデバイスの通常の操作方向）、例えば、英語を使用する場合にテキストを左から右に入力することを理解されたい。しかしながら、一実施例に従う図３および４を参照すると、書き込みまたはテキストは、ＰＤＡ１００によって多種多様の方向に入力可能であり、かつ認識可能である。用語の「テキスト」は、開示される実施例の説明目的で本明細書において使用されるが、開示される実施例が、任意の形式のデバイスへの入力を使用して適用可能であることを理解されたい。入力は、例えば、直線状、波状、またはギザギザ状であることが可能である線、一連の文字（例えば、単語または文）、あるいは単一の文字（例えば、単一の文字または数字）などのマーキングを含むことが可能である。あるいは、入力は、デバイスの画面上に入力されるランダムな一連のマーキングでありうる。しかしながら、入力が何であろうと、複数の入力がタッチスクリーン上で行なわれる度に、入力の方向は、ディスプレイ１１０に対して一定の方向である。
【００２４】
例えば、ＰＤＡ１００の上部３４０からＰＤＡ１００の下部３５０への方向３００または矢印３２０に示されるその逆方向に、テキストを入力してもよい。また、矢印３３０に示されるように、ＰＤＡの左側３７０からＰＤＡ１００の右側３６０に、または矢印３１０に示されるその逆方向にもテキストを入力してもよい。別の実施例において、図４に示され、かつ矢印４００、４１０、４２０、４３０に示されるように、対角線上にテキストを入力してもよい。
【００２５】
このような異なるテキスト入力方向は、本明細書において「テキスト方向」と言及される。所望のテキスト方向に対応する角度にＰＤＡ１００を回転して用いることが出来る。例えば、ユーザが方向３１０にテキストを入力したい場合、例えば、英語を使用する場合では、ユーザは、ＰＤＡ１００の上部３４０がユーザに最も近くなるようにＰＤＡ１００を回転させてもよい。別の実施例において、任意の適切なユーザ言語をタッチスクリーンデバイスで使用してもよく、テキスト方向は、特定のユーザ言語に応じて変更してもよい。例えば、アラビア語を使用する場合、テキストは、通常右から左に書かれるため、方向３１０でテキストを入力する場合、ＰＤＡ１００の下部３５０がユーザに最も近くなるようにする。
【００２６】
上述のテキスト方向は、例えば、所定のテキスト方向に関連付けられる特定のデバイス機能またはアプリケーションへのショートカットを示してもよい。ＰＤＡ１００のメモリ１４０は、ユーザがテキストを入力する際に、異なるテキスト方向３００〜３３０および４００〜４３０ならびにテキスト自体をディスプレイプロセッサ１３０に自動的に認識させるアルゴリズムを含んでもよい。また、メモリ１４０は、ＰＤＡ１００の特徴、機能、およびアプリケーションを開始およびアクティブにするための、プロセッサ１９０およびディスプレイプロセッサ１３０により使用されうるアルゴリズムも含んでもよい。例えば、デバイス１０への入力の移動および方向の一定のシーケンスが検出される場合に、ソフトウェアアプリケーションまたは機能をアクティブ化することが可能である。
【００２７】
例えば、テキストを方向３３０に入力する場合にメッセージアプリケーションを開いてもよく、あるいはテキストを方向３１０に入力する場合にノートアプリケーションを開いてもよい。
【００２８】
任意の所定のテキスト方向に関連付けられ、かつアクティブ化される機能、特徴、またはアプリケーションは、デバイスの製造中に事前に定義されてもよく、あるいは、ＰＤＡ１００のユーザに設定されてもよい。例えば、電子メール、ショートメッセージ（ＳＭＳ）、マルチメディアメッセージ（ＭＭＳ）、インスタントメッセージ（ＩＭ）、ノートパッド、ワードプロセッサ、カレンダ、Ｔｏ−Ｄｏ、表計算、またはタッチスクリーンデバイス内で格納および実行されうるその他の任意の適切な機能性等を有する（タッチスクリーンデバイスの）アプリケーションに、一定のテキスト方向を関連付けてもよい。別の実施例において、各テキスト方向を複数の機能に関連付けてもよく、つまり、例えば、ディスプレイプロセッサは、機能名および書き込まれるテキストの方向を認識してもよい。例えば、単語の「カレンダ」が、方向３３０においてタッチスクリーン上に書き込まれる場合、ディスプレイプロセッサは、単語の「カレンダ」および方向３３０の両方を認識し、カレンダアプリケーションを開始させる。単語の「ノート」が、方向３３０においてタッチスクリーン上に書き込まれる場合、ディスプレイプロセッサは、同様に、単語の「ノート」および方向３３０の両方を認識し、カレンダ機能の代わりにノートアプリケーションを開始させる。別の実施例において、単語と方向の組み合わせを使用して、異なる方向にアプリケーションを開始してもよい。例えば、単語の「ノート」を方向３３０においてディスプレイ上に入力する場合、ノートパッドアプリケーションのコンテンツが左から右に読まれるように、ノートパッドアプリケーションを開始してもよい。例えば、単語の「ノート」を方向３５０に入力する場合、ノートパッドアプリケーションのコンテンツが右から左に読まれるように、ノートパッドアプリケーションを開始してもよい。
【００２９】
デバイス機能を特定のテキスト方向と関連付ける任意の適切な方法を使用してもよい。例えば、ユーザは、テキスト方向３３０をカレンダアプリケーションと関連付けて、テキストを方向３３０に入力する場合に、メモリ１４０内のアルゴリズムによって、ディスプレイプロセッサ１３０が、図５Ａに示されるような、例えば、ＰＤＡ１００のカレンダ５００を表示するようにしてもよい。本例において、タッチスクリーンデバイス１０は、テキスト方向に関連付けられるショートカットを最大８つ含んでもよいが、しかしながら実施例は、８つのショートカットに限定されず、任意の数（８つより多いまたは少ない）テキスト方向／デバイスソフトウェアアプリケーションまたは機能の関連付けを、実施例の概念を使用して想定することが可能である。別の実施例において、入力の方向およびその入力の位置（例えば、始点、終点等）の組み合わせによって、例えば、ディスプレイがどのアプリケーションまたは機能がアクティブ化されるか、ならびにどの方向にアプリケーションまたは機能が提示されるかも決定してもよい。例えば、図３を参照すると、デバイスの角３８０を、デバイスのカレンダアプリケーションと関連付けて、入力の際に、例えば、方向３００に角３８０においてカレンダの開始が起動され、上部３４０から下部３５０に読まれるようにカレンダのコンテンツがディスプレイ上に提示されてもよい。
【００３０】
異なるテキスト方向の各々に関連付けられるショートカットの意味（つまり、ショートカットの説明）を、タッチスクリーンデバイス１００のハウジング１５０上に書き込み、シルクスクリーン印刷、エンボス加工、彫り込み、成型、あるいは形成してもよい。例えば、方向３３０によってノートアプリケーションがアクティブ化する場合、インジケータ１６０等のインジケータを、図１に示されるハウジング１５０の上部分３４０上に書き込み、シルクスクリーン印刷、エンボス加工、彫り込み、成型、あるいは形成してもよい。同様に、例えば、方向３２０によって電子メールアプリケーションがアクティブ化する場合、インジケータ１７０等のインジケータを、ハウジング１５０の左側部分３７０上に書き込み、シルクスクリーン印刷、エンボス加工、彫り込み、成型、あるいは形成してもよい。別の実施例において、例えば、ユーザがショートカットを構成する場合等に、タッチスクリーンディスプレイ１１０自体の対応する側に沿って、ショートカットの説明を表示してもよい。タッチスクリーンディスプレイ上に直接ショートカットの定義を表示することによって、ユーザがショートカットを再定義する際に、ショートカットの定義が容易に変更可能になり得る。その他の別の実施例において、タッチスクリーンデバイスの任意の適切な領域上において、任意の適切な方式でショートカットの説明を表示または提示してもよい。
【００３１】
図５Ａを参照して、実施例の動作について説明する。ＰＤＡ１００等のデバイス１０のユーザは、ポインティングデバイス２０をタッチスクリーン１１０上またはその付近に配置し、かつ所望のテキストを書き込むことによって、例えば、テキスト５３０等のテキストを方向３３０に入力してもよい（図６、ブロック６００）。ディスプレイプロセッサ１３０は、テキストが入力されている方向（つまり、方向３３０）を検出または認識してもよい（図６、ブロック６１０）。ディスプレイプロセッサ１３０による方向３３０の検出により、メモリ１４０内のアルゴリズムを介して、プロセッサ１９０は、方向３３０に関連付けられるソフトウェアアプリケーションまたは機能を開いてもよく、これらは、ディスプレイプロセッサ１３０によってタッチスクリーンディスプレイ１１０上に表示される（図６、ブロック６２０）。本例において、カレンダアプリケーション５００が、テキスト方向３３０に関連付けられる。外観が従来の紙のカレンダであるカレンダ５００をタッチスクリーン１１０上に表示してもよい。カレンダは、月５５０、日５６０、日毎予定表５４０、ノート部分５１０、および「一ヶ月を表示する」部分５２０を含む個人用カレンダであってもよい。日毎予定表は、仕事、家族、または趣味などのグループによってグループ分類されうる日毎の時間単位の記入を含んでもよい。
【００３２】
ディスプレイプロセッサ１３０は、ディスプレイが入力テキストの方向に対応する方式でソフトウェア機能を表示するように構成されてもよい（図６、ブロック６３０）。ディスプレイプロセッサ１３０は、検出されたテキスト入力方向に従ってディスプレイ１１０上に示される項目（例えば、ソフトウェアアプリケーション）を自動的に「回転」させてもよい。本例において、及び図５Ａに示されるように、方向３３０（例えば、左から右）にテキストを入力したため、ＰＤＡ１００の左側３７０からＰＤＡ１００の右側３６０に読まれるようにカレンダ機能５００が表示されてもよい。別の実施例において、及び図５Ｂに示されるように、例えば、方向３２０（例えば、下部から上部）にテキストを入力する場合、ディスプレイプロセッサは、タッチスクリーンディスプレイ１１０上のソフトウェアアプリケーションに対応する項目（例えば、アイコン、文字列、写真、グラフィックス等）を自動的に「回転」させて、表示される際に、例えば、ノートパッド５７０のコンテンツ５８０のようなソフトウェアアプリケーションのコンテンツが、ＰＤＡ１００の下部３５０からＰＤＡ１００の上部３４０に読まれるようにする。その他の別の実施例において、デバイスは、例えば、ダイアログボックスを介してユーザに選択肢を提供してもよく、あるいは、ユーザは、検出されたテキスト入力方向に対応するようにディスプレイ上の項目をデバイスが回転するか否かに応じてデバイスを構成してもよい。
【００３３】
タッチスクリーンディスプレイ１１０上にカレンダ機能５００を表示すると、ディスプレイプロセッサは、日毎予定表５４０等のカレンダの一定範囲に入力テキスト５３０を誘導してもよい（図６、ブロック６４０）。テキストが誘導される範囲は、デバイスの製造中に事前設定されてもよく、あるいはユーザ定義されたものであってもよい。別の実施例において、ソフトウェアアプリケーションが起動され、タッチスクリーン１１０上に表示されると、新しい組のアプリケーション固有のテキスト方向ショートカットを呼び出してもよい（図６、ブロック６５０）。アプリケーション固有のショートカットは、デバイスのユーザによっても定義可能であってもよい。例えば、ユーザがカレンダ機能５００を使用している間、方向３２０に書き込まれるテキストを仕事分類の日毎予定表部分５４０に記入し、また、方向３３０に書き込まれるテキストを家族分類の日毎予定表部分５４０に記入してもよいように、１組のショートカットが構成または定義されてもよい。
【００３４】
開示される実施例は、上述の段階ステップおよび命令を内蔵するソフトウェアおよびコンピュータプログラムも含みうる。これらのソフトウェア又はコンピュータプログラムは、様々なコンピュータにおいて実行されうる。図７は、本発明の実施に使用されうる特徴を内蔵する典型的な装置７００の一実施例に関するブロック図である。図示されるように、コンピュータシステム７０２を、別のコンピュータシステム７０４にリンクして、コンピュータ７０２および７０４が、情報を相互に送受信可能であるようにしてもよい。一実施例において、コンピュータシステム７０２は、ネットワーク７０６と通信するように適合されるサーバコンピュータを含んでもよい。コンピュータシステム７０２および７０４は、例えば、モデム、配線接続、または光ファイバーリンクを含む任意の従来の方式で連結されてもよい。一般的に、通信チャネル上で、またはＩＳＤＮ線のダイアルアップ接続によって典型的に送信される通信プロトコルを使用して、情報は、通信プロトコルを使用するコンピュータシステム７０２および７０４の両方に利用可能であってもよい。一般的に、コンピュータ７０２および７０４は、機械可読プログラムソースコードを具現化するプログラム記憶デバイスを利用するように構成されてもよく、この機械可読プログラムソースコードは、コンピュータ７０２および７０４に本発明の方法ステップを実行させるように適合される。本発明の特徴を内蔵するプログラム記憶デバイスを、光学、磁性、および／または電子技術を利用して本発明の手順および方法を実行する機械の部品として考案、作製、および使用してもよい。別の実施例において、プログラム記憶デバイスは、コンピュータにより読み取り可能かつ実行可能であるディスケットまたはコンピュータハードドライブ等の磁気媒体を含んでもよい。その他の別の実施例において、プログラム記憶デバイスには、光ディスクや読み出し専用メモリ（ｒｅａｄ−ｏｎｌｙ−ｍｅｍｏｒｙ；  ＲＯＭ）、フレキシブルディスク、半導体材料およびチップが含まれてもよい。
【００３５】
コンピュータシステム７０２および７０４は、格納されるプログラムを実行するマイクロプロセッサも含んでもよい。コンピュータ７０２は、そのプログラム記憶デバイス上に、情報およびデータを格納するためのデータ記憶デバイス７０８を含んでもよい。本発明の特徴を有する方法ステップを内包するコンピュータプログラムまたはソフトウェアは、１つ以上のコンピュータ７０２および７０４のその他の従来のプログラム記憶デバイス上に格納されてもよい。一実施例において、コンピュータ７０２および７０４は、ユーザインターフェース７１０と、本発明の特徴がアクセス可能であるディスプレイインターフェース７１２とを含んでもよい。ユーザインターフェース７１０およびディスプレイインターフェース７１２は、システムへのクエリおよびコマンドの入力を可能にし、また、そのコマンドおよびクエリの結果を提示可能にする。
【００３６】
前述の説明は本発明の単なる例証であることを理解されたい。当業者により本発明を逸脱することなく種々の代替および修正を考案することが可能である。従って、開示される実施例は、添付の請求項の範囲内にある修正および変形等の全てを包含するように意図される。
【図１】
2009541835.tif 000003
【図２】
2009541835.tif 000004
【図３】
2009541835.tif 000005
【図４】
2009541835.tif 000006
【図５Ａ】
2009541835.tif 000007
【図５Ｂ】
2009541835.tif 000008
【図６】
2009541835.tif 000009
【図７】
2009541835.tif 000010
【図８】
2009541835.tif 000011
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
デバイスのタッチディスプレイへの少なくとも１つのテキスト入力を検出することと、
前記テキスト入力の少なくとも１つの大きさを決定することと、
前記テキスト入力の前記少なくとも１つの大きさに基づいて、前記デバイスの機能をアクティブ化または非アクティブ化することと、
を、含む方法。
【請求項２】
前記テキスト入力の前記少なくとも１つの大きさに基づいて、前記デバイスのアプリケーションをアクティブにすることをさらに含む、請求項１に記載の方法。
【請求項３】
前記デバイスへの前記テキスト入力の方向の少なくとも１つの大きさを決定することをさらに含む、請求項１又は２に記載の方法。
【請求項４】
前記タッチスクリーンに対する次のテキスト入力のそれぞれの方向を決定することと、
をさらに含む、請求項１から３のいずれかに記載の方法。
【請求項５】
前記テキスト入力の前記少なくとも１つの大きさの前記決定に基づいて、前記デバイスのテキストフィールドをアクティブにすることをさらに含む、請求項１から４のいずれかに記載の方法。
【請求項６】
前記タッチスクリーンに対する前記テキスト入力の前記少なくとも１つの大きさは、左から右、右から左、下から上、または上から下である、請求項１から５のいずれかに記載の方法。
【請求項７】
前記テキスト入力の方向は、前記デバイスの前記タッチスクリーンに対するものである、請求項１から６のいずれかに記載の方法。
【請求項８】
前記テキスト入力は、前記デバイスの前記タッチスクリーンに対して水平的、縦方向的または対角方向的である、請求項１から７のいずれかに記載の方法。
【請求項９】
前記デバイスはＰＤＡデバイスである、請求項１から８のいずれかに記載の方法。
【請求項１０】
前記デバイスはモバイル通信デバイスである、請求項１から９のいずれかに記載の方法。
【請求項１１】
デバイスのタッチ対応式ディスプレイ上におけるテキストの入力を検出することと、
前記入力されたテキストの入力シーケンスの方向を決定することと、
前記入力されたテキストの前記入力シーケンスの前記方向に関連付けられる前記デバイスのアプリケーションを開くことと、
を、含む方法。
【請求項１２】
前記アプリケーションと、前記テキストの前記入力シーケンスの前記方向との間の関連付けは、ユーザ定義されたものである、請求項１１に記載の方法。
【請求項１３】
前記アプリケーションのコンテンツは、前記テキストの前記入力シーケンスの前記方向の前記方向において可読であるように前記アプリケーションを表示することをさらに含む、請求項１１又は１２に記載の方法。
【請求項１４】
前記表示されたアプリケーションは、前記入力されたテキストの前記方向に対応して、前記タッチスクリーンデバイスの前記ディスプレイ上で回転する、請求項１３に記載の方法。
【請求項１５】
前記入力されたテキストの前記入力シーケンスの前記方向に基づいて、前記ソフトウェアアプリケーションの既定範囲に前記入力されたテキストを方向付けすることをさらに含む、請求項１１から１４のいずれかに記載の方法。
【請求項１６】
前記テキストの前記入力シーケンスの前記方向に基づいて、前記ディスプレイ上に少なくとも１つのアプリケーションショートカットを表示することをさらに含み、前記少なくとも１つのアプリケーションショートカットは、対応するテキスト方向に関連付けられる、請求項１１から１５のいずれかに記載の方法。
【請求項１７】
タッチスクリーンに接続されるディスプレイプロセッサと、
ポインティングデバイスによる前記タッチスクリーン上のユーザ作成テキストの形式で第１の入力を受信する、前記ディスプレイプロセッサに接続される入力検出ユニットと、
入力される前記テキストのシーケンスの方向を検出する、前記ディスプレイプロセッサに接続される入力認識ユニットと、
前記検出された方向に関連付けられる、装置の少なくとも１つの機能またはアプリケーションをアクティブにする処理ユニットと、
を、備える装置。
【請求項１８】
前記ディスプレイプロセッサは、前記検出された方向に対応して、前記デバイス上に開いているアプリケーションを回転させるように構成される、請求項１７に記載の装置。
【請求項１９】
前記ディスプレイプロセッサは、前記タッチスクリーン上に前記アプリケーションによって提示される視覚情報を自動的に回転するように構成され、前記検出された方向の方向で前記視覚情報が読まれるようにする、請求項１７または１８に記載の装置。
【請求項２０】
前記ディスプレイプロセッサは、前記検出された方向に基づいて、前記ディスプレイの既定範囲に前記入力されたテキストを自動的に表示するように構成される、請求項１７から１９のいずれかに記載の装置。
【請求項２１】
コンピュータ可用媒体を含むコンピュータプログラム製品であって、前記コンピュータ可用媒体は、コンピュータに、デバイス機能をアクティブにさせるためのコンピュータ可読コード手段を内部に含み、該コンピュータ可読コード手段は、
コンピュータに、前記デバイスのタッチディスプレイの少なくとも１つの入力を検出させるためのコンピュータ可読コード手段と、
コンピュータに、前記テキスト入力の少なくとも１つの大きさを決定させるためのコンピュータ可読コード手段と、
コンピュータに、前記テキスト入力の少なくとも１つの大きさに基づいて、前記デバイスの機能をアクティブ化または非アクティブ化するためのコンピュータ可読コード手段と、
を含む、コンピュータプログラム製品。
【国際調査報告】
2009541835.tif 000012
2009541835.tif 000013
2009541835.tif 000014
2009541835.tif 000015